(57)【要約】【課題】  停電時に移動させることができ且つ構成簡単な消火用装置を備えた物品収納設備を提供する。【解決手段】  収納棚１に発生した火災を消火する消火用装置４を、供給源から供給される水又は消火剤を収納棚に向けて噴出する噴出部３５を上下方向に並ぶように複数備えた装置本体３３と、収納棚の前方側の収納棚横幅方向に沿う作業用通路２の上方に位置させる状態でその作業用通路２の長手方向に沿うように設けた案内レール３４とを備え、装置本体３３を案内レール３４にその長手方向に沿って移動自在に吊り下げ支持して構成する。【選択図】        図３
2006347706.tif 000002
【特許請求の範囲】
【請求項１】
収納部を上下左右に並べて備えている収納棚と、前記収納棚に発生した火災を消火する消火用装置とが設けられている物品収納設備であって、
前記消火用装置が、供給源から供給される水又は消火剤を前記収納棚に向けて噴出する噴出部を上下方向に並ぶように複数備えた装置本体と、前記収納棚の前方側の収納棚横幅方向に沿う作業用通路の上方に位置させる状態でその作業用通路の長手方向に沿うように設けた案内レールとを備え、前記装置本体を前記案内レールにその長手方向に沿って移動自在に吊り下げ支持して構成されている物品収納設備。
【請求項２】
前記装置本体が、前記噴出部を複数備えた供給体と、この供給体を縦軸心周りに回転自在に支持し且つ前記案内レールにその長手方向に沿って移動自在に吊り下げ支持された移動体とを備えて構成されている請求項１記載の物品収納設備。
【請求項３】
前記移動体に対する前記供給体の回転操作並びに前記移動体の前記案内レールの長手方向に沿う移動操作を行うための人為操作用のハンドルが、前記供給体の下部に設けられている請求項２記載の物品収納設備。
【請求項４】
前記作業用通路を走行して前記収納棚に対して物品を出し入れするスタッカークレーンが設けられ、
前記装置本体が、前記作業用通路の長手方向に沿って水又は消火剤を噴出する補助噴出部を備えて構成されている請求項１〜３のいずれか一項に記載の物品収納設備。
【請求項５】
前記スタッカークレーンの上部を案内する上部用レールが前記案内レールに兼用されている請求項４記載の物品収納設備。
【請求項６】
前記収納棚が、前記作業用通路の両側に設けられ、
前記噴出部が、前記作業用通路の横幅方向の両側に向けて水又は消火剤を噴出するように構成されている請求項１〜５のいずれか一項に記載の物品収納設備。
【請求項７】
前記装置本体が、非使用時において前記作業用通路の長手方向における一端部と他端部との待機箇所に保管する形態で一対設けられている請求項１〜６のいずれか一項に記載の物品収納設備。
【請求項８】
前記収納棚に発生した火災を検出する火災検知手段と、
外部から前記作業用通路に通じる入出用通路の扉設置箇所に設けられたロック可能な開閉扉と、
前記火災検知手段が火災を検出するに伴って前記開閉扉のロックを解除するロック解除手段とが備えられている請求項１〜７のいずれか一項に記載の物品収納設備。
【発明の詳細な説明】
【技術分野】
【０００１】
本発明は、収納部を上下左右に並べて備えている収納棚と、前記収納棚に発生した火災を消火する消火用装置とが設けられている物品収納設備に関する。
【背景技術】
【０００２】
かかる物品収納設備は、収納棚に発生した火災を消火用装置にて消火するように構成されたものである。
このような物品収納設備において、従来では、消火用装置が収納棚に対して物品を出し入れするスタッカークレーンを利用して構成されている。具体的には、供給源から供給される水又は消火剤を収納棚に向けて噴出する噴出部をスタッカークレーンの支柱に上下方向に並ぶように複数備えさせて消火用装置が構成されており、収納棚に発生した火災を検出する火災検知手段の検出情報に基づいて、スタッカークレーンの作動を制御する制御手段が、火災が発生した箇所にスタッカークレーンを走行させ、そして消火用装置にて収納棚に発生した火災を消火するように構成されている。この従来例では、スタッカークレーンにバッテリー電源等の非常用電源を備えさせて、停電時でも非常用電源からの給電によりスタッカークレーンを火災が発生した箇所に走行させることができるようにして、消火用装置にて収納棚に発生した火災を消火できるようになっている（例えば、特許文献１参照。）。
【０００３】
【特許文献１】特開平９−２２６９０９号公報
【発明の開示】
【発明が解決しようとする課題】
【０００４】
上記した従来の物品収納設備では、収納棚に火災が発生した際に停電が生じても、非常用電源の電力にてスタッカークレーンを火災が発生した箇所に走行させて火災を消火できるように構成されているが、非常用電源を設けてスタッカークレーンに給電する構成であるため、消火用装置の構成が複雑になってしまうものであり、また、非常用電源の電力をスタッカークレーンに給電する給電線が断線する等により、スタッカークレーンを走行させることができないために収納棚に発生した火災を消火することができない等、火災を適確に消火することができない可能性があった。
ちなみに、スタッカークレーンを電力にて走行させることができないときには、消火作業者が、スタッカークレーンを押し操作させることが考えられるが、重量が大きなスタッカークレーンを押し操作させるには大きな操作力が必要となるものであり、消火作業を良好に行ない難い不具合がある。
【０００５】
本発明は、上記実状に鑑みて為されたものであって、その目的は、収納棚に発生した火災を適確に消火することができ且つ構成が簡素な消火用装置を備えた物品収納設備を提供する点にある。
【課題を解決するための手段】
【０００６】
この目的を達成するために、本発明にかかる物品収納設備は、収納部を上下左右に並べて備えている収納棚と、前記収納棚に発生した火災を消火する消火用装置とが設けられているものであって、
その第１特徴構成は、前記消火用装置が、供給源から供給される水又は消火剤を前記収納棚に向けて噴出する噴出部を上下方向に並ぶように複数備えた装置本体と、前記収納棚の前方側の収納棚横幅方向に沿う作業用通路の上方に位置させる状態でその作業用通路の長手方向に沿うように設けた案内レールとを備え、前記装置本体を前記案内レールにその長手方向に沿って移動自在に吊り下げ支持して構成されている点にある。
【０００７】
すなわち、収納棚に火災が発生した際には、装置本体を火災が発生した箇所に人為的に移動させ、噴出部から水又は消火剤を噴出させて火災を消火することになる。
装置本体は案内レールにその長手方向に沿って移動自在に吊り下げ支持されているので、消火作業者は小さな操作力にて軽快に装置本体を移動させることができ、また、装置本体には噴出部を上下方向に並ぶように複数備えているから、収納棚に発生した火災が収納棚の上下方向に広範囲に又は上下方向に分散して発生した場合でも、火災を適確に消火することができる。
【０００８】
従って、装置本体を案内レールに沿って移動自在に吊り下げ支持して人為操作にて移動させるようにする簡素な構成にて、火災を適確に消火することができるのであり、もって、収納棚に発生した火災を適確に消火することができ且つ構成が簡素な消火用装置を備えた物品収納設備を提供することができるに至った。
【０００９】
本発明にかかる物品収納設備の第２特徴構成は、第１特徴構成において、前記装置本体が、前記噴出部を複数備えた供給体と、この供給体を縦軸心周りに回転自在に支持し且つ前記案内レールにその長手方向に沿って移動自在に吊り下げ支持された移動体とを備えて構成されている点にある。
【００１０】
すなわち、移動体に対して供給体を回転させて噴出部から噴出される水又は消火剤の噴出方向を変更することができるため、装置本体を火災が発生した箇所に移動させた状態において移動体に対して供給体を回転させることにより、移動体を案内レールに沿って移動させることなく収納棚の横幅方向に沿って水又は消火剤を噴きつける位置を変更しながら消火作業を行なうことができるので、移動体の移動操作を少なくしながら良好に消火作業を行うことができる。
従って、第１特徴構成の効果に加えて、収納棚に発生した火災を消火させる際の移動体の移動操作を少なくすることができながらも良好に消火作業を行うことができる消火用装置を備えた物品収納設備を提供することができるに至った。
【００１１】
本発明にかかる物品収納設備の第３特徴構成は、第２特徴構成において、前記移動体に対する前記供給体の回転操作並びに前記移動体の前記案内レールの長手方向に沿う移動操作を行うための人為操作用のハンドルが、前記供給体の下部に設けられている点にある。
【００１２】
すなわち、消火作業者は、供給体の下部に設けられた人為操作用のハンドルを操作することにより、移動体に対する供給体の回転操作や移動体の案内レールの長手方向に沿う移動操作を行うことになる。このように人為操作用のハンドルが設けられているから、扱い易くなって、移動体の移動操作及び供給体の回転操作を良好に行うことができる。
従って、第２特徴構成の効果に加えて、操作がし易くなって良好に消火活動を行うことができる消火用装置を備えた物品収納設備を提供することができるに至った。
【００１３】
本発明にかかる物品収納設備の第４特徴構成は、第１〜第３特徴構成のいずれか１つにおいて、前記作業用通路を走行して前記収納棚に対して物品を出し入れするスタッカークレーンが設けられ、前記装置本体が、前記作業用通路の長手方向に沿って水又は消火剤を噴出する補助噴出部を備えて構成されている点にある。
【００１４】
すなわち、スタッカークレーンに火災が発生した際には、装置本体をスタッカークレーンに隣接する箇所に移動させ、補助噴出部から噴出される水又は消火剤をスタッカークレーンに噴きつけて、スタッカークレーンに発生した火災を消火することができる。
従って、第１〜第３特徴構成のいずれかの構成による効果に加えて、スタッカークレーンに発生した火災も適切に消火することができる消火用装置を備えた物品収納設備を提供することができるに至った。
【００１５】
本発明にかかる物品収納設備の第５特徴構成は、第４特徴構成において、前記スタッカークレーンの上部を案内する上部用レールが前記案内レールに兼用されている点にある。
【００１６】
すなわち、消火用装置における装置本体を、スタッカークレーンを案内するために設けられた上部用レールを利用して吊り下げ支持することにより、装置本体を吊り下げ支持する専用の案内レールを設けないようにして、消火用装置の構成の簡素化を図ることができる。
従って、第４特徴構成による効果に加えて、構成の簡素化を図ることができる消火用装置を備えた物品収納設備を提供することができるに至った。
【００１７】
本発明にかかる物品収納設備の第６特徴構成は、第１〜第５特徴構成のいずれか１つにおいて、前記収納棚が、前記作業用通路の両側に設けられ、前記噴出部が、前記作業用通路の横幅方向の両側に向けて水又は消火剤を噴出するように構成されている点にある。
【００１８】
すなわち、噴出部が作業用通路の両側に向けて水又は消火剤を噴出するように構成されているため、作業用通路の両側に設けられた収納棚で同時に火災が発生したとしても、その両側の収納棚に向けて噴出部から水又は消火剤を噴出して両側の収納棚の火災を消火させることができる。
従って、第１〜第５特徴構成のいずれかの構成による効果に加えて、収納棚に発生した火災を良好に消火することができる消火用装置を備えた物品収納設備を提供することができるに至った。
【００１９】
本発明にかかる物品収納設備の第７特徴構成は、第１〜第６特徴構成のいずれか１つにおいて、前記装置本体が、非使用時において前記作業用通路の長手方向における一端部と他端部との待機箇所に保管する形態で一対設けられている点にある。
【００２０】
すなわち、スタッカークレーンを間に挟むように作業用通路の長手方向における一端側と他端側との両方に装置本体が保管されているので、停電等により作業用通路の途中で装置本体の移動を妨げるようにスタッカークレーンが停止してしまった場合でも、作業用通路におけるスタッカークレーンが停止する箇所よりも一端側では、その一端側の装置本体を移動させて収納棚に発生した火災を消火することができ、また、作業用通路におけるスタッカークレーンが停止する箇所よりも他端側では、その他端側の装置本体を移動させて収納棚に発生した火災を消火することができ、スタッカークレーンを移動させることなく収納棚に発生した火災を消火することができる。
従って、第１〜第６特徴構成のいずれかの構成による効果に加えて、スタッカークレーンを移動させることなく収納棚に発生した火災を良好に消火することができる消火用装置を備えた物品収納設備を提供することができるに至った。
【００２１】
本発明にかかる物品収納設備の第８特徴構成は、第１〜第７特徴構成のいずれか１つにおいて、前記収納棚に発生した火災を検出する火災検知手段と、外部から前記作業用通路に通じる入出用通路の扉設置箇所に設けられたロック可能な開閉扉と、前記火災検知手段が火災を検出するに伴って前記開閉扉のロックを解除するロック解除手段とが備えられている点にある。
【００２２】
すなわち、開閉扉がロックされていても、火災発生により開閉扉のロックが解除されるため、消火作業者は、火災発生時に開閉扉のロックを解除することなく作業用通路に侵入することができるので迅速に消火活動を行うことができる。
従って、第１〜第７特徴構成のいずれかの構成による効果に加えて、消火作業者が迅速に消火活動を行うことができる消火用装置を備えた物品収納設備を提供することができるに至った。
【発明を実施するための最良の形態】
【００２３】
以下、本発明の実施の形態を図面に基づいて説明する。
図１に示すように、物品収納設備は、物品を収納する収納部を上下左右に並べて備えている収納棚１と、この収納棚１の前方側の収納棚横幅方向に沿う作業用通路２を走行して前記収納棚１に対して物品を出し入れするスタッカークレーン３と、前記収納棚１に発生した火災を消火する消火用装置４とを倉庫内に設けて構成されており、例示図においては、収納棚１は、２本の作業用通路２夫々の両側に位置する状態で４個設けられている。
【００２４】
倉庫の側壁には、入出庫コンベア６を設けるためのコンベア用開口部７が形成されており、入出庫コンベア６にてコンベア用開口部７を通して倉庫内に入庫された物品はスタッカークレーン３にて収納棚１に搬入され、スタッカークレーン３にて収納棚１から搬出された物品は入出庫コンベア６にてコンベア用開口部７を通して倉庫外に出庫されるように構成されている。そして、コンベア用開口部７には開閉自在なシャッター装置８が設けられており、図７に示すように、入出庫コンベア６におけるコンベア用開口部７が位置する設定範囲内に物品が存在するか否かを検出する存否センサ９の検出情報に基づいて、シャッター装置８を開閉制御する制御手段Ｈが備えられている。
【００２５】
また、図１に示すように、外部から前記作業用通路２に通じる入出用通路１２が、倉庫の側壁を通過する状態に設けられ、消火作業者は入出用通路１２を通って作業用通路２まで進入可能に構成されている。そして、入出用通路１２の扉接地箇所には、ロック装置５１（図７参照）にてロック可能な開閉扉１３が設けられている。
【００２６】
次に、スタッカークレーン３について説明する。図２に示すように、スタッカークレーン３は、下部用レール１５に沿って走行自在な走行台車１６と、この走行台車１６に立設された前後一対の支柱１８に沿って昇降自在で且つフォーク装置１７を設けた昇降台１９とを備えて構成されている。そして、前後一対の支柱１８の上端部は、上部フレーム２１にて連結されている。さらに、支柱１８は、上部用レール２０に案内されるようになっている。
【００２７】
また、スタッカークレーン３には、走行台車１６に設けられた走行車輪２２を駆動回転させる走行用モータと走行車輪２２を制動させるブレーキ装置とを備えた駆動装置２３、昇降台１９を昇降移動させる昇降用モータ２５、及び、フォーク装置１７の出退移動させる出退用モータ２６の作動を制御する制御装置（図示せず）が設けられており、上位コントローラからの入出庫指令に基づいて、制御装置が駆動装置２３、昇降用モータ２５、出退用モータ２６の作動を制御するように構成されている。尚、駆動装置２３におけるブレーキ装置は、非通電時に走行車輪２２を制動するようにネガティブブレーキにて構成されている。
【００２８】
次に消火用装置４について説明する。
図２及び図３に示すように、消火用装置４は、供給源としての自立型の放水口３１（図１参照）から供給される水を前記収納棚１に向けて噴出する噴出部３５を上下方向に並ぶように複数備えた装置本体３３と、前記作業用通路２の上方に位置させる状態でその作業用通路２の長手方向に沿うように設けた案内レール３４とを備え、前記装置本体３３を前記案内レール３４にその長手方向に沿って移動自在に吊り下げ支持して構成されており、収納棚に火災が発生した際には、装置本体３３を火災が発生した箇所に人為的に移動させて、噴出部３５から噴出する水にて収納棚１に発生した火災を消火するように構成されている。
また、装置本体３３は、前記作業用通路２の長手方向に沿って水を噴出する補助噴出部３６を備えて構成されており、スタッカークレーン３に火災が発生した際には、装置本体３３をスタッカークレーン３に隣接する箇所に人為的に移動させて、補助噴出部３６から噴出する水にてスタッカークレーン３に発生した火災を消火するように構成されている。
そして、前記スタッカークレーン３の上部を案内する上部用レール２０は、前記案内レール３４に兼用されている。
【００２９】
前記装置本体３３は、前記噴出部３５を複数備えた供給体３７と、この供給体３７を縦軸心周りに回転自在に支持し且つ前記上部用レール２０にその長手方向に沿って移動自在に吊り下げ支持された移動体３８とを備えて構成されている。
移動体３８の吊り下げ支持について説明を加えると、図４に示すように、移動体３８における枠体４０の上端部には回転自在な支持用車輪４１が設けられており、この支持用車輪４１が上部用レール２０に載置支持されることによって、移動体３８が上部用レール２０にその長手方向に沿って移動自在に吊り下げ支持されている。
また、供給体３７の支持について説明を加えると、図４に示すように、供給体３７の上端部には、移動体３８の平板部分４０ａに形成された挿通孔に挿通される棒状部材４２が設けられ、この棒状部材４２の上端部に、挿通孔より大型で平板部分４０ａ上をスライド移動自在な支持部材４３が設けられており、これら棒状部材４２と支持部材４３とによって供給体３７が移動体３８に縦軸芯周りに回転自在に支持されている。
そして、供給体３７における支持部材４３の回転は図外の規制部材にて設定角度以上の回転が規制されており、供給体３７は、図５に示すように噴出部３５の噴出方向が作業用通路２の横幅方向に沿う方向となる基本姿勢や、図６に示すように移動体３８に対して基本姿勢から正逆方向に夫々４５°程度の範囲で回転させた傾斜姿勢に変更可能に構成されている。
【００３０】
図３、図５及び図６に示すように、供給体３７は、上下方向に沿う姿勢の一対の送水管４７を、作業用通路２の横幅方向に並ぶ形態で一体状態に接続して構成されているものであり、一対の送水管４７夫々に、上下方向に並ぶように７つ噴出ヘッド４８を設けられている。そして、一方の送水管４７の下から６つの噴出ヘッド４８は、作業用通路２の横幅方向における一方の収納棚１が存在する側に向けて水を噴出するように設けられ、他方の送水管４７の下から６つの噴出ヘッド４８は、作業用通路２の横幅方向における他方の収納棚１が存在する側に向けて噴出するように設けられている。また、夫々の送水管４７の最上の噴出ヘッド４８は、作業用通路２の長手方向におけるスタッカークレーン３が存在する方向に向けて水を噴出するように設けられている。
そして、作業用通路２の横幅方向に噴出する噴出ヘッド４８における同高さに設けられた一対の噴出ヘッド４８にて、前記作業用通路２の横幅方向の両側に向けて水を噴出する噴出部３５が構成され、また、作業用通路２の長手方向に噴出する一対の噴出ヘッド４８にて、前記作業用通路２の長手方向に沿って水を噴出する補助噴出部３６が構成されており、装置本体３３には、６つの噴出部３５と１つの補助噴出部３６とが備えられている。
尚、上記送水管４７の並び方向や噴出部３５及び補助噴出部３６の水の噴出方向は、前記基本姿勢における方向である。
【００３１】
図３に示すように、前記供給体３７の下部には、前記移動体３８に対する前記供給体３７の回転操作並びに前記移動体３８の前記案内レール３４の長手方向に沿う移動操作を行うための人為操作用のハンドル３９が設けられている。このハンドル３９は、供給体３７から作業用通路２の横幅方向の両側に突出するように設けられており、供給体３７を間に挟んだ状態で２人の消火作業者にて装置本体３３を操作できるように構成されている。
また、供給体３７における送水管４７の夫々は、ハンドル３９が設けられた箇所よりも下方の部分において、下端部が水平状態又は略水平状態となるように屈曲されており、その先端にホース４９が接続されるように構成されている。そして、ホース４９の他端側は放水口３１に接続されており、放水口３１からの水がホース４９を介して供給体３７に供給されるように構成されている。
さらに、供給体３７には、この供給体３７の先端部に落下物が直接に当たらないように先端部の上方を覆う防護屋根５０が取り付けられている。
【００３２】
図１に示すように、前記装置本体３３は、非使用時において前記作業用通路２の長手方向における一端部と他端部との待機箇所に保管する形態で一対設けられている。
つまり、作業用通路２においてスタッカークレーン３の一端側と他端側との両側に装置本体３３が保管されているので、停電等により作業用通路２の途中でスタッカークレーン３が停止してしまった場合でも、作業用通路２におけるスタッカークレーン３が停止する箇所よりも一端側では、その一端側の装置本体３３を移動させて収納棚１に発生した火災を消火することができ、また、作業用通路２におけるスタッカークレーン３が停止する箇所よりも他端側では、その他端側の装置本体３３を移動させて収納棚１に発生した火災を消火することができる。
【００３３】
図７に示すように、物品収納設備には、前記収納棚１に発生した火災を検出する火災検知手段Ｓと、火災検知手段Ｓが火災を検出するに伴って前記開閉扉１３のロックを解除するロック解除手段としての制御手段Ｈとが備えられている。
また、物品収納設備には、開閉扉１３をロック状態並びに非ロック状態に切り換え可能なロック装置５１や火災検知手段Ｓが火災を検出するに伴って警報を発する警報装置５２が備えられている。
そして、火災検知手段Ｓは、収納部に収納した物品やパレットに発生した火災等の収納棚１に発生した火災を検出する収納棚用火災検知センサ５３と、搬送途中の荷やパレットに発生した火災等のスタッカークレーン３に発生した火災を検出するクレーン用火災検知センサ５４とを備えて構成されており、収納棚１に発生した火災とともにスタッカークレーン３に発生した火災も検出するように構成されている。
制御手段Ｈは、火災検知手段Ｓから検出情報が入力されると、警報装置５２を作動させるとともに、ロック装置５１がロック状態であればロック装置５１をロック解除状態に切り換えるように構成されている。
従って、消火作業者は、収納棚１やスタッカークレーン３に火災の発生が発生すると警報装置５２にて警報が発せられることにより火災が発生したことを知ることができ、また、開閉扉１３のロックが解除されているので作業用通路２内に進入して消火用装置４の装置本体３３を移動させて収納棚１やスタッカークレーン３に発生した火災を消火することができる。
また、消火用装置４は、スタッカークレーン３とは別体で人為操作によって移動させるように構成されており、火災検知手段Ｓの検出結果に基づいて収納棚１に発生した火災を消火すべくスタッカークレーン３の作動を制御するような制御を行う必要がないので、スタッカークレーン３に備える制御装置の構成の簡素化を図ることができる。
【００３４】
〔別実施の形態〕
（１）  上記実施の形態では、移動体３８に供給体３７を縦軸芯周りに回転自在に支持したが、移動体３８に対して供給体３７が縦軸芯周りに回転しないように移動体３８と供給体を一体的に構成してもよい。この場合、人為操作用のハンドル３９にて、移動体３８の案内レール３４の長手方向に沿う移動操作のみを行う。
【００３５】
（２）  上記実施の形態では、上部用レール２０を前記案内レール３４に兼用し、１つのレールにてスタッカークレーン３の上部の案内と消火用装置４における装置本体３３の案内支持とを行うように構成したが、スタッカークレーン３の上部を案内する上部用レール２０と消火用装置４における装置本体３３を案内支持する案内レール３４とを夫々個別に設けてもよい。このように、上部用レール２０と案内レール３４とを夫々個別に設けることにより、スタッカークレーン３の移動経路と装置本体３３の移動経路とが重複しないように構成することができる。
【００３６】
（３）  上記実施の形態では、装置本体３３を、噴出部３５と補助噴出部３６とを備えて構成したが、補助噴出部３６を備えずに噴出部３５だけを備えて構成してもよい。
このように補助噴出部３６を備えなくても、供給体３７の移動体３８に対する回転角度を大きくすることによって、噴出部３５から作業用通路２の長手方向に沿って噴出される水又は消火剤にてスタッカークレーン３に発生した火災を消火することができる。
また、噴出部３５の一部又は全部を、作業用通路２の長手方向に沿っても水又は消火剤を噴出することができるように構成して、収納棚１に発生した火災とスタッカークレーン３に発生した火災とを同時に消火できるように構成してもよい。
【００３７】
（４）  上記実施の形態では、噴出部３５を作業用通路２の横幅方向の両側に向けて水又は消火剤を噴出するように構成したが、噴出部３５を作業用通路２の横幅方向に片側に向けて水又は消火剤を噴出するように構成してもよい。
このように噴出部３５を作業用通路２の横幅方向に片側に向けて水又は消火剤を噴出するように構成しても、供給体３７の移動体３８に対する回転角度を大きくすることによって、作業用通路２の横幅方向の両側に設けた収納棚１に発生した火災を消火することができる。尚、収納棚１を作業用通路２の両側に設けたが、収納棚１を作業用通路２の片側にだけ設けても良い。
【００３８】
（５）  上記実施の形態では、消火用装置４に装置本体３３を一対設けたが、消火用装置４に装置本体３３を１つだけ設けてもよい。この場合、スタッカークレーン３の移動軌跡と重複しないように装置本体３３を設けることによって、スタッカークレーン３が作業用通路２の途中で停止してしまっても、収納棚１の収納棚横幅方向の全幅に亘って消火活動を行うことができる。
【００３９】
（６）  上記実施の形態では、火災検知手段Ｓが火災を検出するに伴って開閉扉１３のロックを解除するロック解除手段Ｈを備えて、火災が発生したら開閉扉１３のロックを自動的に解除するように構成したが、開閉扉１３を外部からの給水ホースの水圧にてロック解除される水圧解除扉で構成してもよい。
【００４０】
（７）  上記実施の形態では、倉庫内に放水口３１を設けて倉庫外にある送水口から供給される水を利用するように構成したが、倉庫内に採水口を設けて防火水槽等に貯蔵された水を利用するように構成してもよい。
【００４１】
（８）  上記実施の形態では、噴出部３５から水を噴出するように構成したが、噴出部３５から二酸化炭素やハロゲン化物等の消火剤を噴出するように構成してもよい。
【図面の簡単な説明】
【００４２】
【図１】物品収納設備の平面図
【図２】スタッカークレーンと消火用装置との側面図
【図３】消火用装置の斜視図
【図４】装置本体の上部を示す図
【図５】消火用装置の水の噴出状態を示す図
【図６】装置本体の回転状態を示す図
【図７】制御ブロック図
【符号の説明】
【００４３】
１    収納棚
２    作業用通路
３    スタッカークレーン
４    消火用装置
１３    開閉扉
２０    上部用レール
３１    供給源
３３    装置本体
３４    案内レール
３５    噴出部
３６    補助噴出部
３７    供給体
３８    移動体
３９    ハンドル
Ｓ    火災検知手段
Ｈ    ロック解除手段
【図１】
2006347706.tif 000003
【図２】
2006347706.tif 000004
【図３】
2006347706.tif 000005
【図４】
2006347706.tif 000006
【図５】
2006347706.tif 000007
【図６】
2006347706.tif 000008
【図７】
2006347706.tif 000009